(57)【要約】【課題】湾曲した絞り羽根を有する光量調節装置を用いる場合でも、静止画及び動画撮影時の画質への悪影響を低減する。【解決手段】光量調整手段側に凹の曲面形状を有する第１の光学部材（１０）と、光量調整手段側に凸の曲面形状を有する第２の光学部材（２０）と、前記第１の光学部材と前記第２の光学部材の間に位置し、前記第１の光学部材側に凸の曲面形状を有する羽根部材（２３３）を複数備え、前記羽根部材を駆動部材（２３２）によりそれぞれ回動させることで、光束を通過させる開口の大きさを変化させる光量調整手段（２３）とを有し、前記開口の大きさが大きくなるにつれて、前記光量調整手段と前記第２の光学部材との光軸方向の相対距離が長くなるように、前記光量調整手段を移動させる移動手段（２３２ｄ）を有する。【選択図】  図１
2014074785.tif 000002
【特許請求の範囲】
【請求項１】
凹の曲面形状を有する第１の光学部材と、
凸の曲面形状を有する第２の光学部材と、
前記第１の光学部材と前記第２の光学部材の間に位置し、前記第１の光学部材側に凸の曲面形状を有する羽根部材を複数備えた光量調整手段と、
を有する光学機器であって、
前記第１の光学部材は、光量調整手段側に前記凹の曲面形状を有し、
前記第２の光学部材は、光量調整手段側に前記凸の曲面形状を有し、
前記光量調整手段は、前記羽根部材を駆動部材によりそれぞれ回動させることで、光束を通過させる開口の大きさを変化させ、
前記開口の大きさが大きくなるにつれて、前記光量調整手段と前記第２の光学部材との光軸方向の相対距離が長くなるように、前記光量調整手段を移動させる移動手段を有することを特徴とする光学機器。
【請求項２】
前記第１の光学部材は、第１の曲率半径を有し、
前記第２の光学部材は、前記第１の曲率半径よりも小さい第２の曲率半径を有し、
前記羽根部材は、前記第１の曲率半径と前記第２の曲率半径との間の曲率半径を有することを特徴とする請求項１に記載の光学機器。
【請求項３】
前記移動手段は、前記開口の大きさが変化した場合に、前記第２の光学部材に対する前記開口の光軸方向の位置が一定となるように、前記光量調整手段を移動させることを特徴とする請求項１又は２に記載の光学機器。
【請求項４】
前記移動手段は、前記駆動部材に設けられたカム面であることを特徴とする請求項１ないし３のいずれか１項に記載の光学機器。
【請求項５】
請求項１ないし４のいずれか１項に記載の光学機器を備えた撮像装置。
【発明の詳細な説明】
【技術分野】
【０００１】
本発明は光学機器およびそれを備えた撮像装置に関し、特に光学機器の光量調節機構に関するものである。
【背景技術】
【０００２】
特許文献１には、沈胴時において凹形状をした第１のレンズの一部に凸形状をした第２のレンズの一部が入り込んだ状態で、該第１のレンズと第２のレンズの間にレンズ曲面に近似した曲面形状を有する羽根部材が配置される光量調節装置について開示されている。特許文献１では、第１のレンズと第２のレンズの間に該光量調節装置が配置されても、沈胴時に第１のレンズの一部に第２のレンズの一部が入り込むまで近接できるので、光軸方向の厚みの薄型化を達成することができる。
【先行技術文献】
【特許文献】
【０００３】
【特許文献１】特開２００７−９４０７４号公報
【発明の概要】
【発明が解決しようとする課題】
【０００４】
しかしながら、特許文献１では、光量調節装置の羽根部材を光軸に垂直な平面内で直線的に移動させる構成を採用している。そのため、撮影時において、例えばレンズ鏡筒がテレ側に繰り出して第１のレンズと第２のレンズが近接するような場合に、第１のレンズと羽根部材との距離を十分に確保することができず、羽根部材を光軸に垂直な平面内で十分に駆動することができなかった。したがって、特許文献１では、撮影時において、レンズ鏡筒がテレ側に繰り出した状態のような場合は、羽根部材を最小絞り近傍の範囲内でしか移動させることができず、静止画及び動画撮影時の画質に悪影響を与える懸念が生じていた。
【０００５】
そこで、本発明は、湾曲した絞り羽根を有する光量調節装置を用いる場合でも、静止画及び動画撮影時の画質への悪影響を低減することができる光学機器およびそれを備えた撮像装置を提供することを例示的目的とする。
【課題を解決するための手段】
【０００６】
本発明の一側面としての光学機器は、凹の曲面形状を有する第１の光学部材と、凸の曲面形状を有する第２の光学部材と、前記第１の光学部材と前記第２の光学部材の間に位置し、前記第１の光学部材側に凸の曲面形状を有する羽根部材を複数備えた光量調整手段と、を有する光学機器であって、前記第１の光学部材は、光量調整手段側に前記凹の曲面形状を有し、前記第２の光学部材は、光量調整手段側に前記凸の曲面形状を有し、前記光量調整手段は、前記羽根部材を駆動部材によりそれぞれ回動させることで、光束を通過させる開口の大きさを変化させ、前記開口の大きさが大きくなるにつれて、前記光量調整手段と前記第２の光学部材との光軸方向の相対距離が長くなるように、前記光量調整手段を移動させる移動手段を有することを特徴とする。
【発明の効果】
【０００７】
本発明によれば、湾曲した絞り羽根を有する光量調節装置を用いる場合でも、静止画及び動画撮影時の画質への悪影響を低減することができる。
【図面の簡単な説明】
【０００８】
【図１】本発明の実施例を適用した光学機器の撮影時（ワイド側に繰り出した状態）の断面図である（開放絞り状態）。
【図２】本発明の実施例を適用した光学機器の撮影時（テレ側に繰り出した状態）の断面図である（開放絞り状態）。
【図３】本発明の実施例を適用した光学機器の沈胴時の断面図である（開放絞り状態）。
【図４】本発明の実施例を適用した光学機器の撮影時（ワイド側に繰り出した状態）の断面図である（小絞り状態）。
【図５】絞りユニット２３の開放絞り状態の開口の光軸方向の位置と小絞り状態の開口の光軸方向の位置を説明するための図である。
【図６】本発明の実施例を適用した光学機器の分解斜視図である。
【図７】本発明の実施例を適用した光学機器の斜視図である。
【図８】本発明の実施例を適用した絞りユニット２３の分解斜視図である。
【図９】本発明の実施例を適用した絞りユニット２３の斜視図である。
【図１０】本発明の実施例を適用した絞りユニット２３の斜視図である。
【発明を実施するための形態】
【０００９】
以下、本発明の実施例を、添付図面を参照して説明する。
【実施例】
【００１０】
図１及び図２は、本実施例を適用したコンパクトデジタルカメラ、一眼レフカメラ、ビデオカメラなどの撮像装置に設けられたレンズ鏡筒（光学機器）の撮影時の断面図である。本実施例では、レンズ一体型の撮像装置を例として挙げているが、本発明はこれに限らずレンズ交換型の撮像装置、いわゆる交換レンズシステムの交換レンズにも適用することができる。図１はレンズ鏡筒がワイド側に繰り出した状態の断面図であり、図２はレンズ鏡筒がテレ側に繰り出した状態の断面図である。図２に示すように、レンズ鏡筒がテレ側に繰り出した状態において、最も被写体側のレンズ１０と該レンズ１０に隣接するレンズ２０との距離を極力短くすることで小型化かつ高倍率化することができる。また、図３はレンズ鏡筒が沈胴状態の断面図である。図４は、レンズ鏡筒がワイド側に繰り出した状態の断面図であり、絞り装置（光量調節装置）の絞り量を図１の開放絞り状態から小絞り状態に変化させた状態の図である。
【００１１】
また、図６は本実施例を適用した光学機器の分解斜視図である。
【００１２】
図１〜４に示すように、本実施例のレンズ鏡筒においては、３群の撮影レンズ群で構成される。１群レンズ１０は１群筒１１に、２群レンズ２０は２群ホルダ２１に保持され、また３群レンズ３０は、３群ホルダ３１に保持されている。また、３群ホルダ３１はセンサーホルダ４１に保持、直進ガイドされ、不図示のフォーカスモータにより動力を供給され、光軸方向へ移動可能なように構成されている。撮像素子４０は、フィルター４２と共に、センサーホルダ４１に保持されている。本実施例では、特に図２及び図４に示されるように、レンズ鏡筒がテレ側に繰り出した状態および沈胴状態時において、凹形状をした１群レンズ１０の一部に凸形状をした２群レンズ２０の一部が入り込んでいる。つまり、光軸直交方向において、１群レンズ１０の一部と２群レンズ２０の一部が重なっている。さらに、該入り込んだ状態で、１群レンズ１０と２群レンズ２０の間にレンズ曲面に近似した曲面形状を有する絞りユニット２３を配置している。このような構成により、本実施例の光学機器は光軸方向の厚みの薄型化を達成している。
【００１３】
本実施例におけるレンズ鏡筒は２段構成となっており、撮影時と沈胴時でレンズ鏡筒全長を変化させることができる。ただし、本発明のレンズ鏡筒は２段構成に限定されず、例えば３段もしくはそれ以上の構成であってもよい。
【００１４】
ここで、本実施例におけるレンズ鏡筒の構成について詳細に説明する。
【００１５】
図６に示すように、固定筒５１はギア５２を保持している。ギア５２はカム筒６２のギア６２ｂと噛み合い、ズームモータ（本実施例では不図示）の動力をカム筒６２に伝達し、カム筒６２を回転させる。また、固定筒５１の内面にはカム溝（本実施例では不図示）が設けられており、カム筒６２のカムピン６２ａと係合する。よってカム筒６２は回転すると共に光軸方向へ進退する。
【００１６】
直進筒６１は、固定筒５１に直進ガイドされ、カム筒６２の光軸方向への移動に対して共に進退する構成となっている。
【００１７】
１群ユニット１０Ａは、絞りユニット２３（光量調整手段）側に凹の曲面形状を有する１群レンズ１０（第１の光学部材）と、１群レンズ１０を保持した１群筒１１で構成される。１群筒１１の外周にはカムピン１１ａが設けられており、カム筒６２の内面に設けられたカム溝（本実施例では不図示）と係合する。また、１群筒１１は、直進筒６１と係合しており、直進ガイドされる。よって１群ユニット１０Ａは、カム筒６２のカムのリフトに沿って光軸方向へ進退可能となっている。
【００１８】
２群ユニット２０Ａは、絞りユニット２３（光量調整手段）側に凸の曲面形状を有する２群レンズ２０（第２の光学部材）と、２群レンズ２０を保持した２群ホルダ２１、絞りユニット（絞り装置、光量調節装置）２３などで構成される。２群ホルダ２１の外周にはカムピン２１ａが設けられており、カム筒６２の内面に設けられたカム溝（本実施例では不図示）と係合する。また、２群ホルダ２１は、直進筒６１と係合しており、直進ガイドされる。よって２群ユニット２０Ａは、カム筒６２のカムのリフトに沿って光軸方向へ進退可能となっている。
【００１９】
絞りユニット（光量調整手段）２３は、２群レンズ２０の前方（被写体側）に隣接して配置され、絞り羽根を複数備え、該複数の絞り羽根を回動させることにより光束を通過させる開口径を変化させ、入射される光量を調節する。絞りユニット２３の被写体側には、１群レンズ１０が隣接して配置される。また、絞りユニット２３は、１群レンズ１０側（第１の光学部材側）に凸の曲面形状を有し、２群レンズ２０側（第２の光学部材側）に凹の曲面形状を有している。つまり、絞りユニット２２３は、凹の曲面形状を有する光学部材側に凸の曲面形状を有するように構成される。図１〜図３は、開口径が最大となる開放絞り状態であり、図４は、開口径が最小となる小絞り状態を示している。本実施例では、絞り羽根が上述したような曲面形状を有しており、図１〜図３では、その絞り羽根が動作する軌跡を図中の破線で示している。なお、本実施例では、１群レンズ１０が絞りユニット２３側（光量調整手段側）に凹部を有し、２群レンズ２０が絞りユニット２３側に凸部を有する構成について説明をした。しかし、本発明はこれに限らず、例えば１群レンズ１０が絞りユニット２３側に凸部を有し、２群レンズ２０が絞りユニット２３側に凹部を有する構成をしてもよい。つまり、１群レンズ１０及び２群レンズの一方は、絞りユニット２３側に凹の曲面形状を有し、１群レンズ１０及び２群レンズの他方は、絞りユニット２３側に凸の曲面形状を有する構成をしていればよい。
【００２０】
上記のように、本実施例におけるレンズ鏡筒は、撮影時と沈胴時でレンズ鏡筒全長を変化させ、各レンズ群を所望の位置へ移動することができる。図７は本実施例を適用した光学機器の斜視図の一例である。
【００２１】
次に、本実施例における２群ユニット２０Ａおよび絞りユニット２３について詳細に説明する。図８は、本実施例を適用した２群ユニット２０Ａおよび絞りユニット２３の分解斜視図である。
【００２２】
２群ホルダ２１には、２つのガイド軸２１ｂと、２群レンズ２０の周囲に均等に配置された３つの当接部２１ｃを設けている。また、２群ホルダ２１の外周部にはバネ２２を保持する３つの係止爪２１ｄを設けている。
【００２３】
絞りユニット２３は、絞り地板２３１、絞り駆動リング２３２、絞り羽根２３３、絞りカバー２３４で構成される。
【００２４】
絞り地板２３１は、絞り駆動リング２３２を動作させるモータ２３ａを被写体側に保持している。また、２つの嵌合穴２３１ａは、２群ホルダ２１の２つのガイド軸２１ｂと嵌合しており、絞りユニット２３は２群ホルダ２１に対して光軸方向へガイドされる。また、ダボ２３１ｂが６つ設けられ、絞り羽根２３３の回転中心となる穴２３３ａと嵌合している。さらに外周部にはバネ２２を保持する３つの係止爪２３１ｃを設けている。また図２、図３で示すように、２群ユニット２０Ａが１群ユニット１０Ａと最も接近するズームポジション（または沈胴状態）では、モータ２３ａは、１群レンズ１０の側面のスペースに位置する。つまり、２群ユニット２０Ａが１群ユニット１０Ａと最も接近するズームポジション（または沈胴状態）では、モータ２３ａは、１群レンズ１０と光軸直交方向において少なくとも一部が重なるように配置される。
【００２５】
絞り駆動リング（駆動部材）２３２は、モータ２３ａの動力を伝達するギア２３２ａと、絞り羽根２３３の長穴２３３ｂと係合して、絞り羽根２３３を絞り駆動リング２３２の動作に応じて移動させる６つのダボ２３２ｂを有している。さらに、絞り駆動リング２３２の前面（被写体側）にある絞り羽根２３３と接する当接面２３２ｃは、レンズの曲面に沿ったＲ面で構成されている。
【００２６】
絞り羽根（羽根部材）２３３は、同一の６枚の羽根で構成され、光線を遮蔽する部分はレンズの曲面に沿ったＲ面で構成されている。
【００２７】
絞りカバー２３４は、絞り羽根２３３の光軸方向の位置規制として設けられており、絞り駆動リング２３２、絞り羽根２３３と同様、絞り羽根２３３と当接する像面側の当接面２３４ａは、レンズの曲面に沿ったＲ面で構成されている。
【００２８】
これら、絞り駆動リング２３２の曲面（当接面２３２ｃ）と絞り羽根２３３の曲面と絞りカバー２３４の曲面（当接面２３４ａ）は、ほぼ同一の曲面（曲率半径）であることが望ましい。
【００２９】
このように構成された絞りユニット２３は、モータ２３ａの駆動により絞り駆動リング２３２が回転すると、絞り羽根２３３は長穴２３３ｂの軌跡に沿うように移動するので、６枚の絞り羽根２３３により形成される開口径が変化する。このとき６枚の絞り羽根２３３は、絞りカバー２３４及び／又は絞り駆動リング２３２のＲ面に沿って回転しながら移動する。
【００３０】
絞り駆動リング２３２の当接面２３２ｃ、絞りカバー２３４の当接面２３４ａは、上述したように曲面形状を有しており、絞り羽根２３３もこれらの形状にならうように曲面形状を有している。これらの曲面（Ｒ面）の曲率半径は、１群レンズ１０の曲面の曲率半径（第１の曲率半径）と２群レンズ２０の曲面の曲率半径（第２の曲率半径）の間の曲率半径となるように設定されている。光軸方向の厚さの薄型化を考慮すると、第１の曲率半径と第２の曲率半径はほぼ同じであるとよい。ただし、本発明はこれに限定されずに、本実施例においては、これらの曲面（Ｒ面）の曲率半径は、１群レンズ１０の（凹部の）曲面の曲率半径よりも小さく、２群レンズ２０の（凸部の）曲面の曲率半径よりも大きくなるように設定されている。このとき、１群レンズ１０の曲面の第１の曲率半径よりも２群レンズ２０の曲面の第２の曲率半径の方が小さい関係にある。なお、上述したように１群レンズ１０が絞りユニット２３側に凸部を有し、２群レンズ２０が絞りユニット２３側に凹部を有する構成の場合は、これらの曲率半径の大小関係は逆になる。すなわち、これらの曲面（Ｒ面）の曲率半径は、２群レンズ２０の（凹部の）曲面２０Ｒの曲率半径よりも小さく、１群レンズ１０の（凸部の）曲面１０Ｒの曲率半径よりも大きくなるように設定される。このとき、２群レンズ２０の曲面の曲率半径よりも１群レンズ１０の曲面の曲率半径の方が小さい関係にある。
【００３１】
このように、本実施例を適用した絞りユニット２３によれば、６枚の絞り羽根２３３が絞りカバー２３４及び／又は絞り駆動リング２３２のＲ面に沿って回動するように構成されている。したがって、例えば１群レンズ１０に２群レンズ２０の一部が入り込む撮影時のテレ側に繰り出した状態のときでも、１群レンズ１０と２群レンズ２０に干渉することなく絞りユニット２３の絞り羽根２３３を開放状態から小絞り状態まで駆動することができる。よって、静止画及び動画撮影時に画質に悪影響を与えることを低減することができる。
【００３２】
図９、図１０は、本実施例を適用した絞りユニット２３の動作を示した背面側からの斜視図である。図９は、開口径が開放状態であり、図１０は開口径が小絞り状態のときの図である。
【００３３】
ここで、本実施例の絞りユニット２３を開放状態および小絞り状態としたときの図を、図５に示す。図５で示すように、絞り径がＡ１であった場合、絞りの開口の光軸方向の位置はＺ１の位置である。ところが、絞り量を変化させ絞り径がＡ２（Ａ１よりも絞り径が大きい）になった場合、絞りの羽根部材が湾曲しているため、絞りの開口の光軸方向の位置は光軸前方へ移動し、Ｚ２の位置となる。つまり、本実施例の絞り羽根２３３は上述したようにレンズの曲面に沿ったＲ面に沿って移動するため、絞り量の変化により、絞りの開口の光軸方向の位置が異なってしまう。
【００３４】
この影響により、例えば、異なる光軸位置で軸外光線がカットされることや、周辺光量や光線の像面入射角度が変化することなどにより、画質に悪影響を与える懸念が生じる。
【００３５】
そこで、本実施例では、図９及び１０で示すように、絞りユニット２３の絞り駆動リング２３２には、２群ホルダ２１の３つの当接部２１ｃと当接するような、３つのスロープ部を有し、該スロープ部にはカム面２３２ｄが形成されている。各スロープ部の各カム面（移動手段）２３２ｄは、光軸を中心とした点対称の位置に設けられ、光軸周りに円弧状に延びるように形成される。図９及び１０では、各カム面２３２ｄは、光軸右周り（時計回り）方向に進むにつれ、絞り駆動リング２３２を基準として光軸方向の高さが徐々に高くなるように形成される。絞りユニット２３は、２群ホルダ２１との間に設けられた３つのバネ２２で係止されているため、このバネ２２の付勢力により、カム面２３２ｄと２群ホルダ２１の当接部２１ｃとが常に当接した状態となっている。
【００３６】
既に述べたように、絞りユニット２３は２群ホルダ２１に対して光軸方向へガイドされている。よって、絞りユニット２３は、絞り動作により絞り駆動リング２３２が回転したとき、その時に当接しているカム面２３２ｄの高さにより２群ホルダ２１との相対距離を変化させることができる。本実施例では、図９の開放絞り状態から図１０の小絞り状態へ変化する過程において、絞り駆動リング２３２は、図９、図１０中の時計回りに回転する。
【００３７】
図９の開放絞りの時には、絞りユニット２３は最も２群ホルダ２１から遠のいた位置にある。すなわち、図９に示すように、各カム面２３２ｄの光軸方向の高さが最も高くなる部分２３２ｄ１と２群ホルダ２１の当接部２１ｃが当接する。この時、絞り羽根２３３が形成する開口の光軸方向の位置は図１のＺ位置である。これに対し、図１０の小絞りの時には、絞りユニット２３は最も２群ホルダ２１に近づいた位置にある。すなわち、図１０に示すように、各カム面２３２ｄの光軸方向の高さが最も低くなる部分２３２ｄ２と２群ホルダ２１の当接部２１ｃが当接する。この時、絞りの光軸位置は図４のＺ位置であり、図１のＺ位置と同一になるようにカム面２３２ｄの高さ（傾斜）が設定されている。換言すれば、カム面２３２ｄは、絞り羽根２３３が形成する開口の大きさを変化させたとき、その変化量に応じて、２群ホルダ２１（２群レンズ２０）に対する開口の光軸方向の位置が一定となるように、絞りユニット２３を移動させる。図１に示されるように、絞りユニット２３（カム面２３２ｄ）と２群ホルダ２１（当接部２１ｃ）との光軸方向の相対距離はＤ１である。また、図４に示されるように、絞りユニット２３と２群ホルダ２１との光軸方向の相対距離はＤ２である。相対距離Ｄ１と相対距離Ｄ２を比較すると、相対距離Ｄ２よりも相対距離Ｄ１の方が長い。つまり、カム面２３２ｄは、小絞りの時よりも開放絞りの時の方が、絞りユニット２３と２群ホルダ２１（２群レンズ２０）との光軸方向の相対距離が長く設定されるように、絞りユニット２３を移動させる。
【００３８】
要するに、本実施例では、絞り量の変化により、絞りの開口の光軸位置が変化した分だけ、カム面２３２ｄのカム作用により、絞りユニット２３を２群ホルダ２１に対し相対的に移動させ、絞りの開口の光軸位置が常に変化しないように設定されている。
【００３９】
本実施例中では、開放絞りと小絞りの状態の２パターンの状態を例に説明をした。しかし、その中間の絞り量においても、絞りの開口の光軸位置が変化した分だけ絞りユニット２３を移動させるようなカム面２３２ｄを設定することにより、どのような絞り量においても、絞りの光軸位置が常に変化しないようにすることが可能である。つまり、絞り羽根２３３が形成する開口の大きさが大きくなるにつれ、絞りユニット２３と２群ホルダ２１との光軸方向の相対距離を長くするようなカム面２３２ｄを設定することにより、絞りの開口の光軸位置が常に変化しないようにすることが可能である。逆に、絞り羽根２３３が形成する開口の大きさが小さくなるにつれ、絞りユニット２３と２群ホルダ２１との光軸方向の相対距離を短くするようなカム面２３２ｄを設定することにより、絞りの開口の光軸位置が常に変化しないようにすることが可能である。
【００４０】
なお、上述した実施例においては、１群レンズ１０が凹面を有し、２群レンズ２０が凸面を有する場合について説明したが、１群レンズ１０が凸面を有し、２群レンズ２０が凹面を有するような場合は、上記と逆に構成すればよい。つまり、２群レンズ２０を第１の光学部材とし、１群レンズ１０を第２の光学部材とし、絞りユニット２３を１群筒１１に対し相対的に移動させるようにすればよい。その場合は、絞り羽根２３３が形成する開口の大きさが大きくなるにつれ、絞りユニット２３と１群筒１１との光軸方向の相対距離を長くするようなカム面２３２ｄを設定することにより、絞りの開口の光軸位置が常に変化しないようにすることが可能である。逆に、絞り羽根２３３が形成する開口の大きさが小さくなるにつれ、絞りユニット２３と１群筒１１との光軸方向の相対距離を短くするようなカム面２３２ｄを設定することにより、絞りの開口の光軸位置が常に変化しないようにすることが可能である。
【００４１】
また、本実施例では、絞りユニット２３と２群ホルダ２１との相対距離を変化させる方法として、絞り駆動リング２３２に設けられたスロープ部（のカム面）を用いる方法について説明した。しかし、本発明はこれに限定されず、例えば、絞りユニット２３を２群ホルダ２１に対して独立して移動可能な機構をさらに設け、これにより絞りユニット２３と２群ホルダ２１との相対距離を変化させるように構成してもよい。
【００４２】
以上のように、湾曲した絞り羽根を有する絞りユニット（光量調節装置）を用いる場合でも、絞り量の変化にかかわらず、絞りの開口の光軸方向の位置を一定に保つことができ、画質への悪影響を低減することができる。
【００４３】
以上、本発明の好ましい実施形態について説明したが、本発明はこれらの実施形態に限定されず、その要旨の範囲内で種々の変形及び変更が可能である。
【産業上の利用可能性】
【００４４】
本発明は、コンパクトデジタルカメラ、一眼レフカメラ、ビデオカメラなどのカメラシステムに好適に利用できる。また、本光学機器を搭載した電子機器、たとえば携帯電話、スマートフォン、携帯ゲーム機などにも応用可能である。
【符号の説明】
【００４５】
１０‥‥１群レンズ
２０‥‥２群レンズ
２３‥‥絞りユニット
２３２ｄ‥‥カム面
【図１】
2014074785.tif 000003
【図２】
2014074785.tif 000004
【図３】
2014074785.tif 000005
【図４】
2014074785.tif 000006
【図５】
2014074785.tif 000007
【図６】
2014074785.tif 000008
【図７】
2014074785.tif 000009
【図８】
2014074785.tif 000010
【図９】
2014074785.tif 000011
【図１０】
2014074785.tif 000012